(57)【要約】【課題】ドーム形状の透明部材を有するレンズ保護部材において、ドーム形状の透明部材の周縁部の保護コーティングに手などが触れるのを防止して、保護コーティング剥がれの発生を防止する。【解決手段】撮影レンズ２を覆うためのドーム形状の透明部材６と、その透明部材６の周縁部に接合されるホルダー部７と、を有するレンズ保護部材５であって、透明部材６の内側であって少なくとも周縁部に保護コーティング６３が施されており、ホルダー部７に、透明部材６のドーム形状の内方に向けて突出する突出部１３を設ける。その突出部１３は、透明部材６の保護コーティング６３が施された周辺部領域を覆うように形成されている。【選択図】図２
2018040860.tif 000002
【特許請求の範囲】
【請求項１】
撮影レンズを覆うためのドーム形状の透明部材と、
前記透明部材の周縁部に接合されるホルダー部と、
を有するレンズ保護部材であって、
前記透明部材の内側であって少なくとも前記周縁部に保護コーティングが施されており、
前記ホルダー部に、前記透明部材のドーム形状の内方に向けて突出する突出部を設けたことを特徴とするレンズ保護部材。
【請求項２】
前記突出部は、前記透明部材の内側であって少なくとも前記周縁部を、ユーザが触れることを制限するものであることを特徴とする請求項１に記載のレンズ保護部材。
【請求項３】
前記ホルダー部は、前記透明部材の内周に向けて所定の幅を持つ受け部を有し、
前記受け部に、前記突出部を設けたことを特徴とする請求項１または２に記載のレンズ保護部材。
【請求項４】
前記突出部は、前記透明部材の保護コーティングが施された前記周辺部領域を覆うように形成されていることを特徴とする請求項１から３のいずれか一項に記載のレンズ保護部材。
【請求項５】
前記保護コーティングは、指紋防止コーティングまたは反射防止コーティングであることを特徴とする請求項１から４のいずれか一項に記載のレンズ保護部材。
【請求項６】
前記保護コーティングとして、前記透明部材の外側に指紋防止コーティングが施されて、前記透明部材の内側に反射防止コーティングが施されていることを特徴とする請求項１から４のいずれか一項に記載のレンズ保護部材。
【請求項７】
前記透明部材は、前記受け部において、前記ホルダー部との間に設けられた接着部材により接合されていることを特徴とする請求項１から６のいずれか一項に記載のレンズ保護部材。
【請求項８】
撮影レンズを有する撮影部と、
前記撮影レンズを覆うドーム形状の透明部材、及び前記透明部材の周縁部に接合されるホルダー部を有するレンズ保護部材と、
を備える撮影装置であって、
前記透明部材の内側であって少なくとも前記周縁部は保護コーティングが施されており、
前記ホルダー部に、前記透明部材のドーム形状の内方に向けて突出する突出部を設けたことを特徴とする撮影装置。
【請求項９】
前記撮影部は、前記撮影レンズの周りに撮影部構成部品が配置されており、
前記受け部は、前記撮影部構成部品を覆い隠す幅で設計されていることを特徴とする請求項８に記載の撮影装置。
【請求項１０】
前記レンズ保護部材と前記撮影レンズとの間には防水パッキンが介在されていることを特徴とする請求項８または９に記載の撮影装置。
【請求項１１】
前記撮影レンズは広角レンズであることを特徴とする請求項８から１０のいずれか一項に記載の撮影装置。
【請求項１２】
前記広角レンズは魚眼レンズであることを特徴とする請求項１１に記載の撮影装置。
【発明の詳細な説明】
【技術分野】
【０００１】
本発明は、撮影装置のレンズを保護する透明部材を有するレンズ保護部材と、そのレンズ保護部材を備える撮影装置に関する。
【背景技術】
【０００２】
特許文献１のような撮影装置のレンズを保護するために、そのレンズ位置に対応した位置の開口部に配置した透明部材を有するレンズ保護部材がある。
このようなレンズ保護部材においては、透明部材に指紋防止コーティング（ＡＦコート）やグレア防止コーティング（ＡＲコート）などの保護コーティングが施されることがある。
また、魚眼レンズのような広角写真が撮影可能な広角レンズにおいても、レンズ保護部材が設けられる（例えば特許文献２参照）。
さらに、広角レンズにレンズ保護部材を設置する際には、広角な範囲を撮影可能範囲として利用可能なものとするために、ドーム形状の透明部材でもってレンズを保護することが知られている。このようなドーム形状の透明部材はレンズの一部としても機能する。
【先行技術文献】
【特許文献】
【０００３】
【特許文献１】特開２００７−５２０７７号公報
【特許文献２】特開２０００−１９９９２６号公報
【発明の概要】
【発明が解決しようとする課題】
【０００４】
ところで、広角レンズに対応したドーム形状の透明部材において、前述した保護コーティングをディップで施すと液溜りが生じやすいので、それを防ぐために蒸着によりコーティングを施すが、曲面に対する蒸着ではコーティングの均一性が困難である。
特に、ドーム形状の透明部材の周縁部は、蒸着によるコーティングにムラが生じやすくなり、コーティング乗りが悪くなり、また、手などがコーティングに触れるとコーティング剥がれが生じてしまうことがあった。
【０００５】
本発明の課題は、ドーム形状の透明部材を有するレンズ保護部材において、ドーム形状の透明部材の周縁部の保護コーティングに手などが触れるのを防止して、保護コーティング剥がれの発生を防止することである。
【課題を解決するための手段】
【０００６】
以上の課題を解決するため、本発明は、
撮影レンズを覆うためのドーム形状の透明部材と、
前記透明部材の周縁部に接合されるホルダー部と、
を有するレンズ保護部材であって、
前記透明部材の内側であって少なくとも前記周縁部に保護コーティングが施されており、
前記ホルダー部に、前記透明部材のドーム形状の内方に向けて突出する突出部を設けたことを特徴とする。
【発明の効果】
【０００７】
本発明によれば、ドーム形状の透明部材の周縁部の保護コーティングに手などが触れるのを防止できるため、保護コーティング剥がれの発生を防止することができる。
【図面の簡単な説明】
【０００８】
【図１】本発明を適用した電子機器の一実施形態の構成を示すもので、カメラの外観を示す斜視図（ａ）と、そのレンズ保護部材を外した状態を示した分解図（ｂ）である。
【図２】図１（ａ）の縦断面図（ａ）と、その矢印Ｂ部の拡大図（ｂ）である。
【図３】図２（ａ）のホルダー部の拡大平面図である。
【図４】図２（ａ）の透明部材の層構成を示した断面図である。
【発明を実施するための形態】
【０００９】
以下、図を参照して本発明を実施するための形態を詳細に説明する。
（実施形態）
図１（ａ）及び（ｂ）は本発明を適用した電子機器の一実施形態の構成としてカメラの外観を示すもので、１は撮影装置本体、２は撮影レンズとしての魚眼レンズ、３は撮影部構成部品、５はレンズ保護部材、６はドーム形状の透明部材、７はホルダー部である。
【００１０】
実施例では、ユニット状で１８５度の超広角レンズである魚眼レンズ２、及びその周囲の撮影部構成部品３を有する撮影装置本体１には、図示のように、その魚眼レンズ２を保護するレンズ保護部材５が装着される。
レンズ保護部材５は、魚眼レンズ２に対応するドーム形状の透明部材６と、そのドーム形状の透明部材６の周縁部に接合されるホルダー部７と、を有する。
尚、ドーム形状の透明部材６は魚眼レンズ２の一部として機能してもよい。即ち、ドーム形状の透明部材６も魚眼レンズ２を構成するレンズ群の１つとして機能し、この透明部材６の光学特性をも考慮した上で撮影処理が行われるようにしてもよい。
【００１１】
図２（ａ）は図１（ａ）の縦断面を示し、図２（ｂ）はその図２（ａ）の矢印Ｂを拡大したもので、図示のように、ドーム形状の透明部材６の周縁部が、ホルダー部７の透明部材６の内周に向けて所定の幅を持つ受け部１１において、防水両面接着テープ１２により全周で接合されている。また、受け部１１は、魚眼レンズ２周囲の撮影部構成部品３を覆い隠す幅で設計されている。
なお、防水両面接着テープ１２に代えて、防水接着剤を用いてもよい。
【００１２】
また、レンズ保護部材５は、ホルダー部７に設けた差し込み片８を、魚眼レンズ２周囲の撮影部構成部品３の内部に差し込んで回すことにより撮影装置本体１に固定可能であり、万が一傷付いてしまった際には、取り替えることが可能となっている。
【００１３】
そして、ホルダー部７の透明部材６の周縁部を接合する受け部１１の内周側には、図３にも示すように、ドーム形状の透明部材６の内方に向けて突出する突出部１３が全周に形成されている。
この突出部１３は、ドーム形状の透明部材６の周辺部領域を覆うように形成されていて且つ、１８５度の超広角の魚眼レンズ２に入る光線に影響を与えないよう上面が傾斜面１３ａとなっている。
【００１４】
さらに、図２（ａ）に示すように、ホルダー部７の受け部１１及びその内周の突出部１３の下面に、防水パッキン１４がリング状の樹脂ケース１５で押圧して取り付けられている。
従って、ホルダー部７の差し込み片８で、魚眼レンズ２周囲の撮影部構成部品３の内部に差し込んで回して撮影装置本体１にレンズ保護部材５を固定した状態において、魚眼レンズ２のレンズ周囲壁４に防水パッキン１４が密着して防水状態に保たれる。
【００１５】
図４は透明部材６の層構成を示したもので、図示のように、透明部材６はアクリル基材で、その表裏面にハードコート６１が施されている。
そして、透明部材６の表面のハードコート６１上に、蒸着による指紋防止コーティング（ＡＦコート）６２が施されている。
【００１６】
また、透明部材６の裏面のハードコート６１上には、蒸着によるグレア防止コーティング（ＡＲコート）６３が施されている。
ＡＲコート６３は僅かに色味がついており、コーティングが剥がれてしまうと見た目に悪いだけでなく、光学特性に悪影響を与えてしまう。したがって、本実施形態において、ＡＲコート６３を、指等で触られる可能性が透明部材６の表面に比べて低い透明部材６の裏面にコーティングし、透明部材の表面にはＡＦコート６２を施すようにした。  
【００１７】
このように、レンズ保護部材５において、ドーム状の透明部材６の周縁部を組み付けるホルダー部７の形状を工夫することにより、ドーム状の透明部材６裏面のコーティングムラが起き易い周辺部のＡＲコート６３を、突出部１３の存在で、図２（ｂ）に示すように、ユーザが触れられない範囲Ｌを有する構造とすることができる。
従って、ドーム状の透明部材６の周縁部裏面に施されたＡＲコート６３の剥がれを防ぐことができる。
【００１８】
以上、実施形態のカメラによれば、魚眼レンズ２のレンズ保護部材５において、ホルダー部７の受け部１１に、ドーム形状の透明部材６の内方に向けて突出する突出部１３を設けたことにより、ドーム形状の透明部材６の周縁部裏面のＡＲコート６３に手などが触れるのを防止できるため、ＡＲコート６３の剥がれの発生を防止することができる。
【００１９】
（変形例）
以上の実施形態においては、カメラとしたが、本発明はこれに限定されるものではなく、カメラを備える携帯電話など他の電子機器であってもよい。
また、ホルダー部、受け部、突出部の形状等も任意であり、その他、具体的な細部構造等についても適宜に変更可能であることは勿論である。
【００２０】
尚、状況に応じて透明部材６の裏面へ施すコーティング種類と透明部材６の表面へ施すコーティング種類を変えても良い。
【００２１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
撮影レンズを覆うためのドーム形状の透明部材と、
前記透明部材の周縁部に接合されるホルダー部と、
を有するレンズ保護部材であって、
前記透明部材の内側であって少なくとも前記周縁部に保護コーティングが施されており、
前記ホルダー部に、前記透明部材のドーム形状の内方に向けて突出する突出部を設けたことを特徴とするレンズ保護部材。
＜請求項２＞
前記突出部は、前記透明部材の内側であって少なくとも前記周縁部を、ユーザが触れることを制限するものであることを特徴とする請求項１に記載のレンズ保護部材。
＜請求項３＞
前記ホルダー部は、前記透明部材の内周に向けて所定の幅を持つ受け部を有し、
前記受け部に、前記突出部を設けたことを特徴とする請求項１または２に記載のレンズ保護部材。
＜請求項４＞
前記突出部は、前記透明部材の保護コーティングが施された前記周辺部領域を覆うように形成されていることを特徴とする請求項１から３のいずれか一項に記載のレンズ保護部材。
＜請求項５＞
前記保護コーティングは、指紋防止コーティングまたは反射防止コーティングであることを特徴とする請求項１から４のいずれか一項に記載のレンズ保護部材。
＜請求項６＞
前記保護コーティングとして、前記透明部材の外側に指紋防止コーティングが施されて、前記透明部材の内側に反射防止コーティングが施されていることを特徴とする請求項１から４のいずれか一項に記載のレンズ保護部材。
＜請求項７＞
前記透明部材は、前記受け部において、前記ホルダー部との間に設けられた接着部材により接合されていることを特徴とする請求項１から６のいずれか一項に記載のレンズ保護部材。
＜請求項８＞
撮影レンズを有する撮影部と、
前記撮影レンズを覆うドーム形状の透明部材、及び前記透明部材の周縁部に接合されるホルダー部を有するレンズ保護部材と、
を備える撮影装置であって、
前記透明部材の内側であって少なくとも前記周縁部は保護コーティングが施されており、
前記ホルダー部に、前記透明部材のドーム形状の内方に向けて突出する突出部を設けたことを特徴とする撮影装置。
＜請求項９＞
前記撮影部は、前記撮影レンズの周りに撮影部構成部品が配置されており、
前記受け部は、前記撮影部構成部品を覆い隠す幅で設計されていることを特徴とする請求項８に記載の撮影装置。
＜請求項１０＞
前記レンズ保護部材と前記撮影レンズとの間には防水パッキンが介在されていることを特徴とする請求項８または９に記載の撮影装置。
＜請求項１１＞
前記撮影レンズは広角レンズであることを特徴とする請求項８から１０のいずれか一項に記載の撮影装置。
＜請求項１２＞
前記広角レンズは魚眼レンズであることを特徴とする請求項１１に記載の撮影装置。
【符号の説明】
【００２２】
１  撮影装置本体
２  撮影レンズ
３  撮影部構成部品
４  レンズ周囲壁
５  レンズ保護部材
６  ドーム形状の透明部材
７  ホルダー部
８  差し込み片
１１  受け部
１２  接着部材
１３  突出部
１４  パッキン
１５  樹脂ケース
６１  ハードコート
６２  保護コーティング；指紋防止コーティング（ＡＦコート）
６３  保護コーティング；反射防止コーティング（ＡＲコート）
【図１】
2018040860.tif 000003
【図２】
2018040860.tif 000004
【図３】
2018040860.tif 000005
【図４】
2018040860.tif 000006